【手続補正書】
【提出日】平成18年12月28日(2006.12.28)
【手続補正１】
【補正対象書類名】特許請求の範囲
【補正対象項目名】全文
【補正方法】変更
【補正の内容】
【特許請求の範囲】
【請求項１】
地域及び作物ごとに発生している病害虫およびその発生率の情報・作物に対する病害虫の発生率に対する収穫量の減少率情報・害虫の発生率に対して薬剤を使用した場合の収穫量の増加率情報およびその費用情報・植え替えにかかる費用及び植え替え対象作物の情報を蓄積している情報記憶手段、各地域に作付けされている作物及びその作付面積が蓄積された基幹系作付けサーバ及び出荷価格が蓄積された作況情報サーバにアクセス可能なコンピュータが、
各地域の作付け収量情報を前記基幹系作付けサーバにアクセスして取得する作付け収量情報取得ステップと、
地域及び作物ごとに発生している病害虫及びその発生率の情報・作物に対する病害虫の発生率に対する収穫量の減少率情報・害虫の発生率に対して薬剤を使用した場合の収穫量の増加率情報を前記情報提供手段にアクセスして取得する病害虫関連情報取得ステップと、
前記作況情報サーバにアクセスし作物の出荷価格を取得する出荷情報取得ステップと、
前記作付け収量情報入手ステップにて取得した作付け収量情報と、前記病害虫関連情報取得ステップにて取得した病害虫の発生率に対する収穫量の減少率情報を基に、該作付け収量情報に該収穫量減少量を加味した収穫量を算出し、収穫量を対処なしの収穫量として出力する対処なし収穫量出力ステップと、
前記収穫量出カステップが出力した対処なしの収穫量と前記出荷情報取得ステップにて取得された出荷価格情報を基に対処なし収穫量における収益額を算出し、この算出結果を対処なし時の収益予想額を出力する対処なし収益予想額出力ステップと、
前記対処なし時の収穫量出力ステップにて出力された対処無し収穫量に前記病害虫情報取得ステップにて取得した害虫の発生率に対して薬剤を使用した場合の収穫量の増加率情報を加味した収穫量を求め、該薬剤を使用した場合の収穫量の増加率及び前記病害虫関連情報所得ステップが取得した薬剤の費用情報を加味した収益予想額を薬剤使用時収益予想額として出力する薬剤使用時収益予想額算出ステッブと、
更に、情報記憶手段に蓄積されている植え替えにかかる費用及び植え替え対象作物の情報を取得し、植え替え対象作物による収益を植え替え時収益予想額として出力する植え替え収益予想ステッブと、
前記対処なし収益予想ステップにて出力された対処なし時の収予想額・前記薬剤使用時収益予想ステップにて出力された薬剤使用時収益予想額・薬剤使用時収益予想額算出ステップが出力した薬剤使用時収益予想額・前記植え替え収益予想ステップが出力植え替え時収益予想額を含む比較リストを生成し、対応検討情報として出力する対応情報提供ステップとを実行させることを特徴とする病害虫の対応策情報提供方法。
【請求項２】
地域及び作物ごとに発生している病害虫およびその発生率の情報・作物に対する病害虫の発生率に対する収穫量の減少率情報・害虫の発生率に対して薬剤を使用した場合の収穫量の増加率情報およびその費用情報・植え替えにかかる費用及び植え替え対象作物の情報を蓄積している情報記憶手段、各地域に作付けされている作物及びその作付面積が蓄積された基幹系作付けサーバ及び出荷価格が蓄積された作況情報サーバにアクセス可能なコンピュータが、
各地域の作付け収量情報を前記基幹系作付けサーバにアクセスして取得する作付け収量情報取得ステップと、
地域及び作物ごとに発生している病害虫及びその発生率の情報・作物に対する病害虫の発生率に対する収穫量の減少率情報・害虫の発生率に対して薬剤を使用した場合の収穫量の増加率情報を前記情報提供手段にアクセスして取得する病害虫関連情報取得ステップと、
前記作況情報サーバにアクセスし作物の出荷価格を取得する出荷情報取得ステップと、
前記作付け収量情報入手ステップにて取得した作付け収量情報と、前記病害虫関連情報取得ステップにて取得した病害虫の発生率に対する収穫量の減少率情報を基に、該作付け収量情報に該収穫量減少量を加味した収穫量を算出し、収穫量を対処なしの収穫量として出力する対処なし収穫量出力ステップと、
前記収穫量出カステップが出力した対処なしの収穫量と前記出荷情報取得ステップにて取得された出荷価格情報を基に対処なし収穫量における収益額を算出し、この算出結果を対処なし時の収益予想額を出力する対処なし収益予想額出力ステップと、
前記対処なし時の収穫量出力ステップにて出力された対処無し収穫量に前記病害虫情報取得ステップにて取得した害虫の発生率に対して薬剤を使用した場合の収穫量の増加率情報を加味した収穫量を求め、該薬剤を使用した場合の収穫量の増加率及び前記病害虫関連情報所得ステップが取得した薬剤の費用情報を加味した収益予想額を薬剤使用時収益予想額として出力する薬剤使用時収益予想額算出ステッブと、
更に、情報記憶手段に蓄積されている植え替えにかかる費用及び植え替え対象作物の情報を取得し、植え替え対象作物による収益を植え替え時収益予想額として出力する植え替え収益予想ステッブと、
前記対処なし収益予想ステップにて出力された対処なし時の収予想額・前記薬剤使用時収益予想ステップにて出力された薬剤使用時収益予想額・薬剤使用時収益予想額算出ステップが出力した薬剤使用時収益予想額・前記植え替え収益予想ステップが出力植え替え時収益予想額を含む比較リストを生成し、対応検討情報として出力する対応情報提供ステップとを実行させるためのプログラム。
【請求項３】
地域及び作物ごとに発生している病害虫およびその発生率の情報・作物に対する病害虫の発生率に対する収穫量の減少率情報・害虫の発生率に対して薬剤を使用した場合の収穫量の増加率情報およびその費用情報・植え替えにかかる費用及び植え替え対象作物の情報を蓄積している情報記憶手段、各地域に作付けされている作物及びその作付面積が蓄積された基幹系作付けサーバ及び出荷価格が蓄積された作況情報サーバにアクセス可能なコンピュータが、
各地域の作付け収量情報を前記基幹系作付けサーバにアクセスして取得する作付け収量情報取得ステップと、
地域及び作物ごとに発生している病害虫及びその発生率の情報・作物に対する病害虫の発生率に対する収穫量の減少率情報・害虫の発生率に対して薬剤を使用した場合の収穫量の増加率情報を前記情報提供手段にアクセスして取得する病害虫関連情報取得ステップと、
前記作況情報サーバにアクセスし作物の出荷価格を取得する出荷情報取得ステップと、
前記作付け収量情報入手ステップにて取得した作付け収量情報と、前記病害虫関連情報取得ステップにて取得した病害虫の発生率に対する収穫量の減少率情報を基に、該作付け収量情報に該収穫量減少量を加味した収穫量を算出し、収穫量を対処なしの収穫量として出力する対処なし収穫量出力ステップと、
前記収穫量出カステップが出力した対処なしの収穫量と前記出荷情報取得ステップにて取得された出荷価格情報を基に対処なし収穫量における収益額を算出し、この算出結果を対処なし時の収益予想額を出力する対処なし収益予想額出力ステップと、
前記対処なし時の収穫量出力ステップにて出力された対処無し収穫量に前記病害虫情報取得ステップにて取得した害虫の発生率に対して薬剤を使用した場合の収穫量の増加率情報を加味した収穫量を求め、該薬剤を使用した場合の収穫量の増加率及び前記病害虫関連情報所得ステップが取得した薬剤の費用情報を加味した収益予想額を薬剤使用時収益予想額として出力する薬剤使用時収益予想額算出ステッブと、
更に、情報記憶手段に蓄積されている植え替えにかかる費用及び植え替え対象作物の情報を取得し、植え替え対象作物による収益を植え替え時収益予想額として出力する植え替え収益予想ステッブと、
前記対処なし収益予想ステップにて出力された対処なし時の収予想額・前記薬剤使用時収益予想ステップにて出力された薬剤使用時収益予想額・薬剤使用時収益予想額算出ステップが出力した薬剤使用時収益予想額・前記植え替え収益予想ステップが出力植え替え時収益予想額を含む比較リストを生成し、対応検討情報として出力する対応情報提供ステップとを実行させるためのプログラムを記録したコンピュータ読み取り可能な記録媒体。
【請求項４】
地域及び作物ごとに発生している病害虫およびその発生率の情報・作物に対する病害虫の発生率に対する収穫量の減少率情報・害虫の発生率に対して薬剤を使用した場合の収穫量の増加率情報およびその費用情報・植え替えにかかる費用及び植え替え対象作物の情報を蓄積している情報記憶手段、各地域に作付けされている作物及びその作付面積が蓄積された基幹系作付けサーバ及び出荷価格が蓄積された作況情報サーバにアクセス可能なコンピュータが、
各地域の作付け収量情報を前記基幹系作付けサーバにアクセスして取得する作付け収量情報取得ステップと、
地域及び作物ごとに発生している病害虫及びその発生率の情報・作物に対する病害虫の発生率に対する収穫量の減少率情報・害虫の発生率に対して薬剤を使用した場合の収穫量の増加率情報を前記情報提供手段にアクセスして取得する病害虫関連情報取得ステップと、
前記作況情報サーバにアクセスし作物の出荷価格を取得する出荷情報取得ステップと、
前記作付け収量情報入手ステップにて取得した作付け収量情報と、前記病害虫関連情報取得ステップにて取得した病害虫の発生率に対する収穫量の減少率情報を基に、該作付け収量情報に該収穫量減少量を加味した収穫量を算出し、収穫量を対処なしの収穫量として出力する対処なし収穫量出力ステップと、
前記収穫量出カステップが出力した対処なしの収穫量と前記出荷情報取得ステップにて取得された出荷価格情報を基に対処なし収穫量における収益額を算出し、この算出結果を対処なし時の収益予想額を出力する対処なし収益予想額出力ステップと、
前記対処なし時の収穫量出力ステップにて出力された対処無し収穫量に前記病害虫情報取得ステップにて取得した害虫の発生率に対して薬剤を使用した場合の収穫量の増加率情報を加味した収穫量を求め、該薬剤を使用した場合の収穫量の増加率及び前記病害虫関連情報所得ステップが取得した薬剤の費用情報を加味した収益予想額を薬剤使用時収益予想額として出力する薬剤使用時収益予想額算出ステッブと、
更に、情報記憶手段に蓄積されている植え替えにかかる費用及び植え替え対象作物の情報を取得し、植え替え対象作物による収益を植え替え時収益予想額として出力する植え替え収益予想ステッブと、
前記対処なし収益予想ステップにて出力された対処なし時の収予想額・前記薬剤使用時収益予想ステップにて出力された薬剤使用時収益予想額・薬剤使用時収益予想額算出ステップが出力した薬剤使用時収益予想額・前記植え替え収益予想ステップが出力植え替え時収益予想額を含む比較リストを生成し、対応検討情報として出力する対応情報提供ステップとを実行させることを特徴とする病害虫の対応策情報提供システム。